(57)【要約】【課題】簡易な構造により棚板の耐重量を高めることができる棚。【解決手段】棚１は、板紙からなる左右一対の側板３ａ，３ｂと、側板３ａ，３ｂ間に取り外し可能に掛け渡された、板紙からなる棚板２と、を備える。棚板２は、棚板２の前後の端部が折り曲げられることにより中空柱状に形成されて左右方向に延在する前後一対の梁部１０ｃ、１０ｄと、梁部１０ｃ、１０ｄ間にあってこれらを連結する棚部１２と、を備える。側板３ａ，３ｂには、梁部１０ｃ、１０ｄ及び棚部１２のそれぞれの左右の端部が取り外し可能に挿入される支持部４０ａ，４０ｂが形成される。支持部４０ａ，４０ｂは、挿入された梁部１０ｃ、１０ｄ及び棚部１２のそれぞれの左右の端部１６ａ、１６ｂを支持する。【選択図】図２
2008253425.tif 000002
【特許請求の範囲】
【請求項１】
板紙からなる左右一対の側板と、
前記一対の側板間に取り外し可能に掛け渡された、板紙からなる棚板と、
を備えた棚において、
前記棚板は、
当該棚板の前後の端部が折り曲げられることにより中空柱状に形成され、左右方向に延在する前後一対の梁部と、
前記一対の梁部間にあって当該一対の梁部を連結する棚部と、を備え、
前記一対の側板には、
前記一対の梁部及び前記棚部のそれぞれの左右の端部が取り外し可能に挿入される支持部であって、挿入された前記一対の梁部及び前記棚部のそれぞれの左右の端部を支持する支持部が形成されている、棚。
【請求項２】
前記一対の支持部は、
前記一対の梁部及び前記棚部のそれぞれの左右の端部が挿入される開口と、
前記開口を画定する開口縁部であって、前記一対の梁部及び前記棚部のそれぞれの左右の端部を支持する開口縁部と、からなり、
前記開口に挿入された前記梁部の端部は、折り曲げられたことによる復元力により前記開口縁部を押し付けるように接触する、請求項１に記載の棚。
【請求項３】
前記開口は、少なくとも一部が前記一対の梁部及び前記棚部のそれぞれの左右の端部よりも僅かに小さく形成されている、請求項２に記載の棚。
【請求項４】
前記一対の梁部は、前記棚板の前後の端部がそれぞれ４回折り曲げられることにより中空四角柱状に形成される、請求項１ないし３のいずれか一項に記載の棚。
【請求項５】
前記一対の側板は、内壁に前記支持部を有する中空の直方体からなり、且つ、外壁に前記梁部及び前記棚部のそれぞれの左右の端面を当接可能に構成される、請求項１ないし４のいずれか一項に記載の棚。
【請求項６】
前記一対の側板の後部を連結する背板を備えており、
前記一対の側板及び前記背板は、一枚の板紙を折り曲げることで形成される、請求項１ないし５のいずれか一項に記載の棚。
【請求項７】
前記棚板は、上下方向に複数ある、請求項１ないし６のいずれか一項に記載の棚。
【請求項８】
当該棚は、前記棚板の耐重量が少なくとも２０ｋｇとなるように構成される、請求項１ないし７のいずれか一項に記載の棚。
【発明の詳細な説明】
【技術分野】
【０００１】
本発明は、左右一対の側板及び棚板が板紙からなる棚に関するものである。
【背景技術】
【０００２】
従来、この種の棚として、例えば特許文献１に記載の商品陳列棚が知られている。この棚は、ダンボール紙により形成され、必要に応じて組み立てることができるものである。組立て後の棚は、左右の側板と中央の背板（裏側部材）とで平面視コ字状に画成される。そして、側板及び背板のそれぞれの内面の挿入孔に、棚板の係止用突出片を挿入支持させることで、棚板が３点で支持される。これら側板、背板及び棚板は、いずれもダンボール紙からなる。
【特許文献１】特開２００１−１４９１９０号公報
【発明の開示】
【発明が解決しようとする課題】
【０００３】
棚には比較的重い商品が陳列される場合もあり、所望の耐重量が求められる。木製の棚であれば、比較的重量に耐えることができる。しかし、ダンボール紙などの板紙で形成される棚は、重量に耐えるのに構造上の工夫が必要となる。従来の特許文献１に記載に記載の棚は、棚板を３点で支持するものの、比較的重量のある商品を棚板に載せたときに棚板がたわみ易いという問題があった。このため、例えば比較的剛性の高い素材を用いたり、あるいは棚板間に仕切り板を設けたりして、耐重量の要求を満たす必要があった。
【０００４】
本発明は、簡易な構造により棚板の耐重量を高めることができる棚を提供することをその目的としている。
【課題を解決するための手段】
【０００５】
上記目的を達成するための本発明の棚は、板紙からなる左右一対の側板と、一対の側板間に取り外し可能に掛け渡された、板紙からなる棚板と、を備える。棚板は、棚板の前後の端部が折り曲げられることにより中空柱状に形成されて左右方向に延在する前後一対の梁部と、一対の梁部間にあって一対の梁部を連結する棚部と、を備える。一対の側板には、梁部及び棚部のそれぞれの左右の端部が取り外し可能に挿入される支持部が形成される。支持部は、挿入された梁部及び棚部のそれぞれの左右の端部を支持する。
【０００６】
この構成によれば、棚板の耐重量を高めることができる。具体的には、棚部に中空柱状の梁部が連結されるので、棚板の曲げ剛性が高められる。これにより、棚部に物が載せられた場合にも、棚部の変形（たわみ）を抑制できる。また、梁部は棚板の前後の端部を折り曲げられることにより形成されるものであるので、梁部を簡易に形成できる。さらに、支持部では、棚部のみならず梁部も挿入されて支持されるので、棚板が広い範囲で支持される。これにより、荷重を分散させて棚板を好適に支持しておくことができる。なお、本発明の棚は、棚板の耐重量が少なくとも２０ｋｇとなるように構成されることが好ましい。
【０００７】
好ましくは、一対の支持部は、一対の梁部及び前記棚部のそれぞれの左右の端部が挿入される開口と、開口を画定してこの左右の端部を支持する開口縁部と、からなる。そして、開口に挿入された梁部の端部は、折り曲げられたことによる復元力により開口縁部を押し付けるように接触する。
【０００８】
この構成によれば、開口縁部での梁部の支持を強固にできると共に、支持された梁部を介して棚板を開口に対し抜止めできる。また一方では、復元しようとする梁部をその中空柱状に維持することも可能となり、曲げ剛性の高い棚板を提供できる。
【０００９】
より好ましくは、開口は、少なくとも一部が一対の梁部及び棚部のそれぞれの左右の端部よりも僅かに小さく形成されている。
【００１０】
この構成によれば、一対の梁部及び棚部のそれぞれの左右の端部が、圧入されるように開口に挿入されて、開口縁部に支持される。これにより、いわゆる締まりばめのはめあいとなり、より一層強固に棚板を支持できる。
【００１１】
好ましくは、一対の梁部は、棚板の前後の端部をそれぞれ４回折り曲げられることにより中空四角柱状に形成される。
【００１２】
この構成によれば、梁部の曲げ剛性を簡易に高めることができる。
【００１３】
好ましくは、一対の側板は、内壁に支持部を有する中空の直方体からなり、且つ、外壁に梁部及び棚部のそれぞれの左右の端面を当接可能に構成される。
【００１４】
この構成によれば、側板が平板の部材である場合に比べて、側板の強度及び設置時の安定性を高めることができる。また、一対の側板のそれぞれの外壁間に、梁部及び棚部のそれぞれの左右の端面を当接させることができる。これにより、一対の側板が自動的に内側に閉じることを抑制でき、一対の側板の設置状態（展開状態）を維持し易くできる。
【００１５】
好ましくは、本発明の棚は、一対の側板の後部を連結する背板を備えており、一対の側板及び背板は、一枚の板紙を折り曲げることで形成される。
【００１６】
この構成によれば、少ない部品点数で一対の側板及び背板を簡単に形成することができると共に、棚として使用しないときなどには、これらを簡単に折り畳むことも可能となる。棚を構成できる。
【００１７】
好ましくは、棚板は上下方向に複数ある。
【発明の効果】
【００１８】
以上説明した本発明の棚によれば、簡易な構造で棚板の耐重量を高めることができる。
【発明を実施するための最良の形態】
【００１９】
以下、添付図面を参照して、本発明の好適な実施形態に係る棚について説明する。この棚は、組立て式のものであり、商品の陳列用又は保管用のほか、本棚などの用途としても用いることができるものである。
【００２０】
＜第１実施形態＞
図１は、棚の斜視図である。
図１に示すように、棚１は、四つの棚板２と、左右一対の側板３ａ，３ｂと、背板４と、で構成される。これら棚板２、側板３ａ，３ｂ及び背板４は、例えばダンボール紙又は硬質紙などの板紙からなり、組み立てられることで棚１を完成させる。複数（四つ）の棚板２は、上下方向に分散して設けられ、側板３ａ，３ｂ間に取り外し可能に掛け渡される。
【００２１】
以下の説明では、図１を基準に規定した、前後、左右及び上下を用いる。ここでは、棚１の開放された側が「前」、背板４がある側が「後」、側板３ａが「左」、側板３ｂが「右」、紙面上方が「上」、及び紙面下方が「下」となる。
【００２２】
図２は、棚板２を示す図であり、（Ａ）は棚板２の展開状態の平面図であり、（Ｂ）は棚板２を組立てた状態の斜視図である。
【００２３】
図２（Ａ）に示すように、棚板２は、一辺に長さＷ2を有する一枚の方形状の板紙からなる。図２（Ｂ）に示すように、棚板２は、前後一対の梁部１０ｃ、１０ｄ及び棚部１２で構成され、前後対称の形状となっている。一対の梁部１０ｃ，１０ｄは、中空柱状に形成され、左右方向に延在する。棚部１２は、一対の梁部１０ｃ，１０ｄ間にあり、これらを連結する。棚部１２は、平面視矩形であり、その上面が商品等を陳列可能な水平面で構成される。
【００２４】
一対の梁部１０ｃ、１０ｄは、棚板２の前後の端部がそれぞれ４回折り曲げられることにより、中空四角柱状に形成される。具体的には、一対の梁部１０ｃ、１０ｄは、それぞれ、棚板２に形成された折り目１４ａ，１４ｂ，１４ｃ及び１４ｄで順に内側へと直角に折り曲げられることで、一頂点が不連続の四角形を構成するように棚部１２の下側に形成される。折り目１４ａ，１４ａは、棚部１２と一対の梁部１０ｃ、１０ｄとの境界を規定する。
【００２５】
この場合、棚板２に用いる板紙の性状のために、一対の梁部１０ｃ、１０ｄには、折り曲げられたことによる復元力が作用する。この復元力によって、一対の梁部１０ｃ、１０ｄは、外部から何らかの規制がない状態では、中空四角柱状を維持できない程度に広がる。後述するように、棚板２は、左右の端部１６ａ、１６ｂを側板３ａ，３ｂに支持される。
【００２６】
図３は、側板３ａ，３ｂ及び背板４が組み立てられる前の状態を示す斜視図である。
側板３ａ，３ｂと背板４とは、例えば二つ折りに畳まれている一枚の板紙を展開し、適宜の位置で折り曲げることで形成される。詳細には、一枚の板紙について、背板４の左右の端部から前方へと直角に折り曲げて、背板４に後部を連結した側板３ａ，３ｂを互いに平行とし、側板３ａ，３ｂ及び背板４を全体としてコ字状に形成すればよい。
【００２７】
側板３ａ，３ｂは、折り畳まれた状態から組み立てられることで、中空の直方体を構成する。具体的には、側板３ａ，３ｂは、それぞれ、外壁３０、内壁３１、前壁３２、後壁３３、上壁３４及び下壁３５からなり、縦長の中空の直方体を構成する。
【００２８】
例えば、側板３ａを構成する場合には、先ず、背板４から外壁３０を直角に折り曲げ、続いて前壁３２、内壁３１、及び後壁３３を順に内側へと直角に折り曲げ、後壁３３を背板４の前面に沿わせる。そして、この状態で開放されている直方体の上方及び下方の開口を閉塞するように、壁３０〜３３に対し上壁３４及び下壁３５を組む。こうすることで、中空の直方体の側板３ａが構成される。この場合も、側板３ａ，３ｂは、折り曲げられたことによる復元力が作用されて、外部から何らかの規制がない状態では、外側にハの字状に開くようになる。
【００２９】
側板３ａ，３ｂのそれぞれの内壁３１，３１には、棚板２の挿入支持開口として機能する支持部４０ａ，４０ｂが形成されている。支持部４０ａ、４０ｂの数は、棚板２の数に対応する数であり、両者は、互いに同じ形状である。支持部４０ａ、４０ｂは、開口４１ａ、４１ｂ及び開口縁部４２ａ、４２ｂから構成される。
【００３０】
開口４１ａ、４１ｂは、左右の内壁３１，３１に形成された貫通孔である。開口４１ａには、棚板２の左端部１６ａが取外し可能に挿入され、開口４１ｂには、棚板２の右端部１６ｂが取外し可能に挿入される。すなわち、開口４１ａ、４１ｂは、梁部１０ｃの左右の端部が取り外し可能に挿入される第１開口４４ｃと、梁部１０ｄの左右の端部が取り外し可能に挿入される第２開口４４ｄと、棚部１２の左右の端部が取り外し可能に挿入される第３開口４４ｅと、で構成される。第１開口４４ｃと第２開口４４ｄとは、第３開口４４ｅにより連通する。
【００３１】
開口縁部４２ａ，４２ｂは、それぞれ開口４１ａ、４１ｂを画定する内周面から構成される。開口縁部４２，４２ｂは、開口４１ａ、４１ｂに挿入された棚板２の左右の端部１６ａ，１６ｂの外面を囲繞するように、これらの左右の端部１６ａ，１６ｂを支持する。棚板２の支持点は、棚板２の左右の端面から所定の距離内側の位置にある。これは、棚板２の左右の端部１６ａ，１６ｂが、開口４１ａ、４１ｂに挿入されて、一部が側板３ａ，３ｂの中空内部に位置するからである。
【００３２】
図４は、棚板２と支持部４０ａ，４０ｂとの寸法関係の一例を示す図であり、（Ａ）は支持部４０ａ，４０ｂの正面図であり、（Ｂ）は棚板２の断面図である。
【００３３】
図４に示す寸法関係は、以下のとおりである。
ａ1＞ａ2      ・・・（１）
ｂ1＞ｂ2      ・・・（２）
ｃ1＞ｃ2      ・・・（３）
ｄ1＜ｄ2      ・・・（４）
【００３４】
ここで、ａ1は、第３開口４４ｅの高さである。ａ2は、棚部１２の厚み（高さ）である。ｂ1は、第１開口４４ｃ及び第２開口４４ｄの高さである。ｂ2は、梁部１０ｃ、１０ｄの高さである。ｃ1は、開口４１ａ，４１ｂの全体幅である。ｃ2は、棚部１２の幅である。ｄ1は、第１開口４４ｃ及び第２開口４４ｄの幅である。ｄ2は、梁部１０ｃ、１０ｄの最大幅である。それぞれの寸法を例示すると、ａ1＝０．６ｍｍ、ａ2＝０．２ｍｍ、ｂ1＝４１ｍｍ、ｂ2＝３９ｍｍ、ｃ1＝２２５ｍｍ、ｃ2＝２２４ｍｍ、ｄ1＝５９ｍｍ、ｄ2＝６０ｍｍ、である。
【００３５】
このように、開口４１ａ，４１ｂは、棚板２の左右の端部１６ａ，１６ｂに対し、僅かに小さい部分を一部に且つ僅かに大きい部分を大部分に有するように形成される。ただし、別の実施態様では、開口４１ａ，４１ｂは、棚板２の左右の端部１６ａ，１６ｂよりも僅かに小さく形成される部分を上記とは異なる箇所に有してもよい。また、更に別の実施態様では、開口４１ａ，４１ｂは、全体として、棚板２の左右の端部１６ａ，１６ｂよりも僅かに大きくなるように形成されてもよい。
【００３６】
一方で、図２（Ｂ）に示した棚板２の左右方向の長さＷ2は、図１に示した外壁３０、３０間の距離Ｗ1と同程度に設定される。このため、組み立てられた状態では、棚板２の左右の端面を外壁３０，３０の内面に当接させることができるようになっている。なお、棚板２の左右の端面とは、梁部１０ｃ，１０ｄ及び棚部１２のそれぞれの左右の端面を意味する。
【００３７】
以上説明した棚１の作用、効果について説明する。
先ず、組立て前の棚１は、棚板２用の板紙と、側板３ａ，３ｂ及び背板４用の板紙との合計２枚からなり、扁平な状態に折り畳むことができる。なお、棚板２の数に応じて板紙が増え、上記の例では、棚板２用には４枚の板紙が用意される。折り畳み可能な棚１であるので、棚１の運搬時や不使用時等には、スペースを広く占有せずに棚１を管理できる。また、棚１は板紙からなるので、棚１を廃棄する場合にも有用である。
【００３８】
次に、棚１を組み立てる場合には、図２（Ｂ）に示すように棚板２を前後で折り曲げて梁部１０ｃ，１０ｄを暫定的に形成する。そして、梁部１０ｃ，１０ｄの中空四角柱状を維持しながら、図３に示す状態を経て組み立てられた側板３ａ，３ｂの支持部４０ａ，４０ｂに、棚板２の左右の端部１６ａ，１６ｂを挿入し支持させる。この挿入の際の抵抗により、上記の寸法関係の結果、開口４１ａ，４１ｂは僅かに広げられるようになる。そして、最終的に、側板３ａ，３ｂを内側に押して、棚板２の左右の端面を外壁３０，３０の内面に当接させ、側板３ａ，３ｂ及び背板４を全体としてコ字状に形成する。このようの一連の作業により、棚１を簡易に組み立てることができる。
【００３９】
組み立てられた棚１では、開口縁部４２ａ，４２ｂに支持された梁部１０ｃ、１０ｄの端部が、折り曲げられたことによる復元力により開口縁部４２ａ，４２ｂを内側から外側に押し付けるように接触する。これにより、開口縁部４２ａ，４２ｂでの梁部１０ｃ、１０ｄの支持を強固にできると共に、梁部１０ｃ、１０ｄを介して棚板２を開口４１ａ，４１ｂに対し抜止めできる。
【００４０】
また、梁部１０ｃ、１０ｄの端部が開口縁部４２ａ，４２ｂを押し付けていることで、復元しようとする梁部１０ｃ、１０ｄの広がりが開口縁部４２ａ，４２ｂにより規制される。このため、梁部１０ｃ、１０ｄの形状を中空柱状に維持することができる。さらに、この押し付けの作用により、復元しようとする側板３ａ，３ｂの広がりも規制され、側板３ａ，３ｂ及び背板４の全体形状をコの字状に維持することもできる。特に、上下方向に複数の棚板２があるので、コの字状を含む棚１の全体形状を好適に維持できる。
【００４１】
また、組み立てられた棚１では、棚板２に着目すると、棚部１２に梁部１０ｃ、１０ｄが連結された状態である。これにより、棚板が一定厚の平板である場合に比べて、棚板２の曲げ剛性を高めることができる。しかも、上記のとおり、梁部１０ｃ、１０ｄを中空柱状に維持できるので、曲げ剛性を維持できる。よって、棚部１２に商品（物）が載せられた場合にも、棚部１２がたわむような変形を好適に抑制できる。また、梁部１０ｃ、１０ｄは棚板２の前後の端部を折り曲げられることにより形成されるものであるので、梁部１０ｃ、１０ｄを簡易に形成できる。
【００４２】
さらに、支持部４０ａ，４０ｂに着目すると、棚部１２のみならず梁部１０ｃ、１０ｄも挿入されて支持された状態である。これにより、従来のように棚板を３点で支持する場合に比べて、棚板２を広い範囲で荷重を分散させるように支持できる。以上説明した棚板２の支持構造によって、棚板２の耐重量を高めることができ、例えば２０ｋｇの重量には耐えられるような棚１を構成することが可能となる。なお、棚１に用いる板紙の素材によっては、２０ｋｇを超える耐重量の棚１を提供することも可能である。
【００４３】
＜第２実施形態＞
図５は、第２実施形態に係る棚１を示す斜視図である。第１実施形態との相違点は、４つの棚２のうちの一つを、マガジンラック状のポケット部６０として構成したことである。その他の点は、同一であるので説明を省略する。
【００４４】
ポケット部６０は、後方が高くなるように傾斜した載置部６１と、載置部６１の前端から上方に傾斜した返り部６２と、を有する。返り部６２は、載置部６１に載置された本や雑誌などが落下しないように規制する。
【００４５】
返り部６２の左右の両端には、外側に突出したピン６３，６４が設けられており、ピン６３，６４が側板３ａ，３ｂの前壁３２，３２に突き当たる。載置部６１の後部の左右両端にも、図示省略したピンが突設されており、このピンは側板３ａ，３ｂの内壁３１，３１に着脱可能に係止される。このような構成により、ポケット部６０は、図示省略した後方のピンを中心に回動可能となり、二つの棚２，２に挟まれたスペース内で上下させることができる。
【００４６】
以上説明した棚１であっても、棚板２の耐重量を高めることができるなど、第１実施形態と同様の作用効果を奏することができる。
【図面の簡単な説明】
【００４７】
【図１】第１実施形態に係る棚を組立て状態の斜視図である。
【図２】第１実施形態に係る棚板を示す図であり、（Ａ）は棚板を展開状態の平面図であり、（Ｂ）は棚板を組立てた状態の斜視図である。
【図３】第１実施形態に係る一対の側板及び背板が組み立てられる前の状態を示す斜視図である。
【図４】第１実施形態に係る棚板と支持部との寸法関係の一例を示す図であり、（Ａ）は支持部の正面図であり、（Ｂ）は棚板の断面図である。
【図５】第２実施形態に係る棚を組立てた状態の斜視図である。
【符号の説明】
【００４８】
１：棚、２：棚板、３ａ，３ｂ：側板、４：背板、１０ｃ、１０ｄ：梁部、１２：棚部、
１４ａ，１４ｂ，１４ｃ，１４ｄ：折り目、１６ａ、１６ｂ：端部、３０：外壁、３１：内壁、３２：前壁、３３：後壁、３４：上壁、３５：下壁、４０ａ，４０ｂ：支持部、
４１ａ、４１ｂ：開口、４２ａ、４２ｂ：開口縁部、４４ｃ：第１開口、４４ｄ：第２開口、４４ｅ：第３開口
【図１】
2008253425.tif 000003
【図２】
2008253425.tif 000004
【図３】
2008253425.tif 000005
【図４】
2008253425.tif 000006
【図５】
2008253425.tif 000007